(57)【要約】【課題】現像カートリッジをドラムカートリッジから分離して交換できる画像形成装置を提供する。【解決手段】  画像形成装置１は、ドラムカートリッジ７を支持する第１カートリッジ支持体５と、現像カートリッジ９を支持する第２カートリッジ支持体６とを備える。第２カートリッジ支持体６が第３位置から第４位置へ向かって移動することにより、第２カートリッジ支持体６に支持されている現像カートリッジ９が、取り外し可能になる。【選択図】図２
2020046513.tif 000002
【特許請求の範囲】
【請求項１】
開口を有する筐体と、
前記開口を閉じる閉位置と前記開口が開く開位置との間を移動可能なカバーと、
感光ドラムを有するドラムカートリッジと、
現像ローラを有する現像カートリッジと、
前記ドラムカートリッジを支持し、第１位置と、前記ドラムカートリッジが取り外し可能となる第２位置との間を、第１方向に移動可能な第１カートリッジ支持体と、
前記現像カートリッジを支持し、第３位置と、前記現像カートリッジが取り外し可能となる第４位置との間を、前記第１方向に移動可能な第２カートリッジ支持体と、
を備え、
第２カートリッジ支持体は、前記第３位置に位置する状態で、前記第１方向において、前記第１位置に位置する前記第１カートリッジ支持体と前記閉位置に位置する前記カバーとの間に位置することを特徴とする、画像形成装置。
【請求項２】
前記第１位置は、前記ドラムカートリッジが前記画像形成装置に装着される位置であり、
前記第３位置は、前記現像カートリッジが前記ドラムカートリッジに装着される位置であることを特徴とする、請求項１に記載の画像形成装置。
【請求項３】
前記第２カートリッジ支持体が前記第３位置から前記第４位置へ向かって移動するときに、前記第２カートリッジ支持体は、前記第１カートリッジ支持体に対して、前記第１方向において前記第１カートリッジ支持体から離れる方向へ移動可能であることを特徴とする、請求項１または請求項２に記載の画像形成装置。
【請求項４】
前記第１カートリッジ支持体は、前記第１位置から前記第２位置に移動するとき、前記第２カートリッジ支持体とともに移動し、
前記第２カートリッジ支持体は、前記第３位置から前記第４位置に移動するとき、前記第３位置から、前記第１方向において前記第３位置と前記第４位置との間に位置する第５位置を経て、前記第４位置に移動し、
前記第２カートリッジ支持体は、前記第５位置から前記第４位置に移動するとき、前記第１方向において前記第１カートリッジ支持体から離れる方向へ移動可能であることを特徴とする、請求項１から請求項３のいずれか一項に記載の画像形成装置。
【請求項５】
前記第１カートリッジ支持体は、前記第１位置から前記第２位置に移動するとき、前記開口を通らず、
前記第２カートリッジ支持体は、前記第３位置から前記第４位置に移動するとき、前記開口を通ることを特徴とする、請求項１から請求項４のいずれか一項に記載の画像形成装置。
【請求項６】
前記ドラムカートリッジは、前記現像ローラを前記感光ドラムに向かって案内するガイドを有し、
前記第２カートリッジ支持体が前記第１カートリッジ支持体から離れる方向へ移動して、前記第２カートリッジ支持体が前記第４位置に位置した場合に、前記現像ローラが前記ガイドから外れることにより、前記現像カートリッジは、取り外し可能となることを特徴とする、請求項１から請求項５のいずれか一項に記載の画像形成装置。
【請求項７】
前記ドラムカートリッジは、さらに、前記感光ドラムの周面をクリーニングするドラムクリーナーと、前記ドラムクリーナーによって前記感光ドラムの周面から取り除かれた廃トナーを搬送するための廃トナー搬送管と、を備え、
前記現像カートリッジは、さらに、前記廃トナーを収容するように構成される廃トナー収容器を備え、
前記ドラムカートリッジを支持した前記第１カートリッジ支持体が前記第１位置に位置し、前記現像カートリッジを支持した前記第２カートリッジ支持体が前記第３位置に位置した状態で、前記廃トナー搬送管は、前記廃トナー収容器に接続され、
前記第２カートリッジ支持体が前記第１カートリッジ支持体から離れる方向へ移動して、前記第２カートリッジ支持体が前記第４位置に位置した場合に、前記廃トナー搬送管が前記廃トナー収容器から外れて、前記現像カートリッジは、取り外し可能となることを特徴とする、請求項１から請求項６のいずれか一項に記載の画像形成装置。
【請求項８】
前記廃トナー収容器は、前記廃トナー搬送管が挿入される挿入部であって、前記第１方向に延びる筒形状を有する挿入部を備えることを特徴とする、請求項７に記載の画像形成装置。
【請求項９】
前記現像カートリッジは、さらに、前記感光ドラムに供給されるトナーを収容するように構成されるトナー収容器を備え、
前記廃トナー収容器は、前記トナー収容器に対して揺動可能であることを特徴とする、請求項７または請求項８に記載の画像形成装置。
【請求項１０】
前記現像カートリッジは、さらに、前記廃トナー収容器と前記トナー収容器とを揺動可能に連結するシャフトを備え、
前記第２カートリッジ支持体は、前記現像カートリッジが前記第２カートリッジ支持体に装着された状態で前記シャフトが嵌まる凹部を有することを特徴とする、請求項９に記載の画像形成装置。
【請求項１１】
前記画像形成装置は、さらに、
前記第１カートリッジ支持体を案内する第１本体ガイドであって、第１端と、前記第１方向において前記第１端よりも前記閉位置に位置する前記カバーの近くに位置する第２端とを有する第１本体ガイドと、
前記第２カートリッジ支持体を案内する第２本体ガイドであって、第３端と、前記第１方向において前記第３端よりも前記閉位置に位置する前記カバーの近くに位置し、かつ、前記第１方向において前記第１本体ガイドの前記第２端よりも前記閉位置に位置する前記カバーの近くに位置する第４端とを有する第２本体ガイドと
を備え、
前記第１カートリッジ支持体は、前記第１本体ガイドの前記第２端と接触することにより、前記第２位置に位置し、
前記第２カートリッジ支持体は、前記第２本体ガイドの前記第４端と接触することにより、前記第４位置に位置することを特徴とする、請求項１から請求項１０のいずれか一項に記載の画像形成装置。
【請求項１２】
前記画像形成装置は、さらに、前記感光ドラムを案内し、第５端と、前記第１方向において前記第５端よりも前記閉位置に位置する前記カバーの近くに位置する第６端とを有する第３本体ガイドを備え、
前記第１本体ガイドの前記第１端は、前記第３本体ガイドの第５端よりも前記閉位置に位置する前記カバーから遠いことを特徴とする、請求項１１に記載の画像形成装置。
【請求項１３】
前記第１カートリッジ支持体は、前記第１カートリッジ支持体に対する前記第２カートリッジ支持体の移動を案内するドロワガイドであって、前記第１方向に延びるドロワガイドを備えることを特徴とする、請求項１から請求項１２のいずれか一項に記載の画像形成装置。
【請求項１４】
前記ドロワガイドは、第７端と、前記第１方向において前記第７端よりも前記閉位置に位置する前記カバーの近くに位置する第８端とを有し、
前記第２カートリッジ支持体は、前記第１カートリッジ支持体が前記第２位置に位置する状態で、前記ドロワガイドの前記第８端と接触することにより、前記第４位置に位置することを特徴とする、請求項１３に記載の画像形成装置。
【請求項１５】
前記第１カートリッジ支持体は、
前記第１カートリッジ支持体が前記第１位置に位置し、前記第２カートリッジ支持体が前記第３位置に位置した状態で、前記第４位置から前記第３位置に向かう方向に向かって、前記第２カートリッジ支持体の一部を押圧するバネを備えることを特徴とする、請求項１から請求項１４のいずれか一項に記載の画像形成装置。
【請求項１６】
前記第１カートリッジ支持体は、前記ドラムカートリッジが前記第１カートリッジ支持体に装着された状態で前記感光ドラムの端部が嵌まる切欠きを有することを特徴とする、請求項１から請求項１５のいずれか一項に記載の画像形成装置。
【請求項１７】
前記第２カートリッジ支持体が前記第１カートリッジ支持体から離れる方向へ移動することにより、前記現像カートリッジは、前記ドラムカートリッジから離れて、取り外し可能となることを特徴とする、請求項１から請求項１６のいずれか一項に記載の画像形成装置。
【発明の詳細な説明】
【技術分野】
【０００１】
本開示は、画像形成装置に関する。
【背景技術】
【０００２】
従来、カートリッジと、カートリッジを支持するドロワとを備える画像形成装置が知られている。カートリッジは、感光ドラムと、現像ローラを有する現像ユニットとを備える。ドロワは、カートリッジが画像形成装置に装着される装着位置と、カートリッジが取り外し可能となる離脱位置との間を移動可能である（下記特許文献１参照）。
【先行技術文献】
【特許文献】
【０００３】
【特許文献１】特開２０１６−８１０３４号公報
【発明の概要】
【発明が解決しようとする課題】
【０００４】
特許文献１に記載の画像形成装置において、現像ユニットを感光ドラムと分離して交換したいという要望がある。
【０００５】
そこで、本開示の目的は、現像カートリッジをドラムカートリッジから分離して交換できる画像形成装置を提供することにある。
【課題を解決するための手段】
【０００６】
（１）本開示の画像形成装置は、筐体と、カバーと、ドラムカートリッジと、現像カートリッジと、第１カートリッジ支持体と、第２カートリッジ支持体とを備える。
【０００７】
筐体は、開口を有する。カバーは、閉位置と開位置との間を移動可能である。カバーが閉位置に位置する場合、カバーは、開口を閉じる。カバーが開位置に位置する場合、開口は、開く。ドラムカートリッジは、感光ドラムを有する。現像カートリッジは、現像ローラを有する。
【０００８】
第１カートリッジ支持体は、ドラムカートリッジを支持する。第１カートリッジ支持体は、第１位置と第２位置との間を、第１方向に移動可能である。第１カートリッジ支持体が第２位置に位置する場合、ドラムカートリッジは、取り外し可能となる。
【０００９】
第２カートリッジ支持体は、現像カートリッジを支持する。第２カートリッジ支持体は、第３位置と第４位置との間を、第１方向に移動可能である。第２カートリッジ支持体が第４位置に位置する場合、現像カートリッジは、取り外し可能となる。
【００１０】
第２カートリッジ支持体は、第３位置に位置する状態で、第１方向において、第１位置に位置する第１カートリッジ支持体と、閉位置に位置するカバーとの間に位置する。
【００１１】
このような構成によれば、第２カートリッジ支持体が第３位置から第４位置へ向かって移動することにより、現像カートリッジが、取り外し可能となる。
【００１２】
これにより、ユーザーは、第２カートリッジ支持体を第３位置から第４位置に移動させるという簡単な作業で、現像カートリッジを、ドラムカートリッジから分離して交換できる。
【００１３】
（２）第１位置は、ドラムカートリッジが画像形成装置に装着される位置である。第３位置は、現像カートリッジがドラムカートリッジに装着される位置である。
【００１４】
（３）第２カートリッジ支持体が第３位置から第４位置へ向かって移動するときに、第２カートリッジ支持体は、第１カートリッジ支持体に対して、第１方向において第１カートリッジ支持体から離れる方向へ移動可能である。
【００１５】
（４）第１カートリッジ支持体は、第１位置から第２位置に移動するとき、第２カートリッジ支持体とともに移動してもよい。第２カートリッジ支持体は、第３位置から第４位置に移動するとき、第３位置から、第５位置を経て、第４位置に移動する。第５位置は、第２カートリッジが第１方向において第３位置と第４位置との間に位置する位置である。第２カートリッジ支持体は、第５位置から第４位置に移動するとき、第１方向において第１カートリッジ支持体から離れる方向へ移動可能であってもよい。
【００１６】
（５）第１カートリッジ支持体は、第１位置から第２位置に移動するとき、開口を通らなくてもよい。第２カートリッジ支持体は、第３位置から第４位置に移動するとき、開口を通る。
【００１７】
（６）ドラムカートリッジは、ガイドを有してもよい。ガイドは、現像ローラを感光ドラムに向かって案内する。第２カートリッジ支持体が第１カートリッジ支持体から離れる方向へ移動した場合に、現像ローラがガイドから外れることにより、現像カートリッジは、取り外し可能となってもよい。
【００１８】
（７）ドラムカートリッジは、さらに、ドラムクリーナーと廃トナー搬送管とを備えてもよい。ドラムクリーナーは、感光ドラムの周面をクリーニングする。廃トナー搬送管は、ドラムクリーナーによって感光ドラムの周面から取り除かれた廃トナーを搬送するために用いられる。現像カートリッジは、廃トナー収容器を備えてもよい。廃トナー収容器は、廃トナーを収容するように構成される。ドラムカートリッジを支持した第１カートリッジ支持体が第１位置に位置し、現像カートリッジを支持した第２カートリッジ支持体が第３位置に位置した状態で、廃トナー搬送管は、廃トナー収容器に接続される。第２カートリッジ支持体が第１カートリッジ支持体から離れる方向へ移動して、第２カートリッジ支持体が第４位置に位置した場合に、廃トナー搬送管が廃トナー収容器から外れて、現像カートリッジは、取り外し可能となってもよい。
【００１９】
（８）廃トナー収容器は、挿入部を備えてもよい。挿入部には、廃トナー搬送管が挿入される。挿入部は、第１方向に延びる筒形状を有する。
【００２０】
（９）現像カートリッジは、さらに、トナー収容器を備えてもよい。トナー収容器は、感光ドラムに供給されるトナーを収容するように構成される。廃トナー収容器は、トナー収容器に対して揺動可能であってもよい。
【００２１】
（１０）現像カートリッジは、さらに、シャフトを備えてもよい。シャフトは、廃トナー収容器とトナー収容器とを揺動可能に連結する。第２カートリッジ支持体は、凹部を有してもよい。凹部には、現像カートリッジが第２カートリッジ支持体に装着された状態でシャフトが嵌まる。
【００２２】
（１１）画像形成装置は、さらに、第１本体ガイドと第２本体ガイドとを備えてもよい。第１本体ガイドは、第１カートリッジ支持体を案内する。第１本体ガイドは、第１端と第２端とを有する。第２端は、第１方向において第１端よりも閉位置に位置するカバーの近くに位置する。第２本体ガイドは、第２カートリッジ支持体を案内する。第２本体ガイドは、第３端と第４端とを有する。第４端は、第１方向において第３端よりも閉位置に位置するカバーの近くに位置し、かつ、第１方向において第１本体ガイドの第２端よりも閉位置に位置するカバーの近くに位置する。第１カートリッジ支持体は、第１本体ガイドの第２端と接触することにより、第２位置に位置する。第２カートリッジ支持体は、第２本体ガイドの第４端と接触することにより、第４位置に位置する。
【００２３】
（１２）画像形成装置は、さらに、第３本体ガイドを備えてもよい。第３本体ガイドは、感光ドラムを案内する。第３本体ガイドは、第５端と第６端とを有する。第６端は、第１方向において第５端よりも閉位置に位置するカバーの近くに位置する。第１本体ガイドの第１端は、第３本体ガイドの第５端よりも閉位置に位置するカバーから遠い。
【００２４】
（１３）第１カートリッジ支持体は、ドロワガイドを備えてもよい。ドロワガイドは、第１カートリッジ支持体に対する第２カートリッジ支持体の移動を案内する。ドロワガイドは、第１方向に延びる。
【００２５】
（１４）ドロワガイドは、第７端と第８端とを有する。第８端は、第１方向において第７端よりも閉位置に位置するカバーの近くに位置する。第２カートリッジ支持体は、第１カートリッジ支持体が第２位置に位置する状態で、ドロワガイドの第８端と接触することにより、第４位置に位置する。
【００２６】
（１５）第１カートリッジ支持体は、バネを備えてもよい。バネは、第１カートリッジ支持体が第１位置に位置し、第２カートリッジ支持体が第３位置に位置した状態で、第４位置から第３位置に向かう方向に向かって、第２カートリッジ支持体の一部を押圧する。
【００２７】
（１６）第１カートリッジ支持体は、切欠きを有してもよい。切欠きには、ドラムカートリッジが第１カートリッジ支持体に装着された状態で感光ドラムの端部が嵌まる。
【００２８】
（１７）第２カートリッジ支持体が第１カートリッジ支持体から離れる方向へ移動することにより、現像カートリッジは、ドラムカートリッジから離れて、画像形成装置から取り外し可能となる。
【発明の効果】
【００２９】
本開示の画像形成装置によれば、現像カートリッジをドラムカートリッジから分離して交換できる。
【図面の簡単な説明】
【００３０】
【図１】図１は、画像形成装置の概略構成図である。
【図２】図２は、図１に示す第１カートリッジ支持体が第２位置に位置し、第２カートリッジ支持体が第４位置に位置した状態を示す。
【図３】図３は、第１カートリッジ支持体が第２位置に位置し第２カートリッジ支持体が第４位置に位置した状態における、第１カートリッジ支持体および第２カートリッジ支持体の平面図である。
【図４】図４は、図３に示す第１カートリッジ支持体および第２カートリッジ支持体のＡ−Ａ断面図である。
【図５】図５は、図４に示す第１カートリッジ支持体が第１位置に位置し、第２カートリッジ支持体が第３位置に位置した状態を示す。
【図６】図６は、ドラムカートリッジの平面図である。
【図７】図７Ａは、図６に示すドラムカートリッジのＢ−Ｂ断面図である。図７Ｂは、図６に示すドラムカートリッジのＣ−Ｃ断面図である。
【図８】図８は、現像カートリッジの平面図である。
【図９】図９は、図８に示すドラムカートリッジのＤ−Ｄ断面図である。
【図１０】図１０は、ドラムカートリッジを支持した第１カートリッジ支持体が第１位置に位置し、現像カートリッジを支持した第２カートリッジ支持体が第３位置に位置した状態を示す。
【図１１】図１１は、ドラムカートリッジを支持した第１カートリッジ支持体が第２位置に位置し、現像カートリッジを支持した第２カートリッジ支持体が第４位置に位置した状態を示す。
【図１２】図１２は、変形例を説明するための説明図である。
【発明を実施するための形態】
【００３１】
１．画像形成装置１の概略
図１および図２を参照して、画像形成装置１の概略について説明する。
【００３２】
図１に示すように、画像形成装置１は、筐体２と、カバー３と、給紙部４と、第１カートリッジ支持体５と、第２カートリッジ支持体６と、ドラムカートリッジ７と、露光装置８と、現像カートリッジ９と、転写ローラ１０と、定着装置１１とを備える。なお、画像形成装置１は、単色印刷専用の画像形成装置である。そのため、画像形成装置１は、１つのドラムカートリッジ７と、１つの現像カートリッジ９とを備える。
【００３３】
１．１  筐体２およびカバー３
筐体２は、給紙部４と、第１カートリッジ支持体５と、第２カートリッジ支持体６と、ドラムカートリッジ７と、露光装置８と、現像カートリッジ９と、転写ローラ１０と、定着装置１１とを収容する。筐体２は、開口２Ａを有する。筐体２は、第１外表面Ｓ１と第２外表面Ｓ２とを有する。開口２Ａは、第１外表面Ｓ１に設けられる。第２外表面Ｓ２は、第１方向において第１外表面Ｓ１とは反対側に位置する。
【００３４】
カバー３は、筐体２に取り付けられる。カバー３は、閉位置（図１参照）と開位置（図２参照）との間を移動可能である。カバー３が閉位置に位置する場合、カバー３は、開口２Ａを閉じる。カバー３が開位置に位置する場合、開口２Ａは、開く。
【００３５】
１．２  給紙部４
給紙部４は、給紙カセット１８と、ピックアップローラ１２と、給紙ローラ１３とを備える。給紙カセット１８は、シートＳを収容する。ピックアップローラ１２は、給紙カセット１８内のシートＳを給紙ローラ１３に向かって搬送する。給紙ローラ１３は、ピックアップローラ１２からのシートＳを転写ローラ１０に向かって搬送する。
【００３６】
１．３  第１カートリッジ支持体５
第１カートリッジ支持体５は、ドラムカートリッジ７を支持する。第１カートリッジ支持体５は、第１位置（図１参照）と第２位置（図２参照）との間を、第１方向に移動可能である。第１方向は、上下方向と交差する。第１カートリッジ支持体５は、筐体２内において、第１位置と第２位置との間を移動する。すなわち、第１カートリッジ支持体５は、第１位置から第２位置に移動するとき、開口２Ａを通らない。第１カートリッジ支持体５が第１位置に位置する場合、ドラムカートリッジ７は、画像形成装置１に装着される。なお、「ドラムカートリッジ７が画像形成装置１に装着される」とは、ドラムカートリッジ７が動作可能となるように筐体２内に収容されることをいう。本実施形態では、ドラムカートリッジ７を支持する第１カートリッジ支持体５が第１位置に位置することにより、感光ドラム１４と転写ローラ１０とが接触したときに、ドラムカートリッジ７が画像形成装置１に装着される。第１カートリッジ支持体５が第２位置に位置する場合、ドラムカートリッジ７は、第１カートリッジ支持体５から取り外し可能となる。第１カートリッジ支持体５は、第１位置から第２位置に移動するとき、第２カートリッジ支持体６とともに移動する。
【００３７】
１．４  第２カートリッジ支持体６
第２カートリッジ支持体６は、現像カートリッジ９を支持する。第２カートリッジ支持体６は、第３位置（図１参照）と第４位置（図２参照）との間を、第１方向に移動可能である。第２カートリッジ支持体６は、第３位置から第４位置に移動するとき、開口２Ａを通る。第２カートリッジ支持体６が第３位置に位置する場合、第２カートリッジ支持体６の全部は、筐体２内に位置する。第２カートリッジ支持体６が第３位置に位置する場合、現像カートリッジ９は、ドラムカートリッジ７に装着される。なお、「現像カートリッジ９がドラムカートリッジ７に装着される」とは、現像カートリッジ９がドラムカートリッジ７にトナーを供給できるように、現像カートリッジ９がドラムカートリッジ７に取り付けられることをいう。本実施形態では、ドラムカートリッジ７を支持する第１カートリッジ支持体５が第１位置に位置し、現像カートリッジ９を支持する第２カートリッジ支持体６が第３位置に位置することにより、感光ドラム１４と現像ローラ１７とが接触したときに、現像カートリッジ９がドラムカートリッジ７に装着される。第２カートリッジ支持体６は、第３位置に位置する状態で、第１方向において、第１位置に位置する第１カートリッジ支持体５と、閉位置に位置するカバー３との間に位置する。第２カートリッジ支持体６は、第３位置に位置する状態で、第１方向に見て、第１位置に位置する第１カートリッジ支持体５と重なる。また、第２カートリッジ支持体６は、第３位置に位置する状態で、第１方向に見て、閉位置に位置するカバー３とも重なる。第２カートリッジ支持体６が第４位置に位置する場合、第２カートリッジ支持体６の少なくとも一部は、筐体２外に位置する。第２カートリッジ支持体６が第４位置に位置する場合、現像カートリッジ９は、第２カートリッジ支持体６から取り外し可能となる。詳しくは、第２カートリッジ支持体６が第３位置から第４位置へ向かって移動するときに、第２カートリッジ支持体６は、第１カートリッジ支持体５に対して、第１カートリッジ支持体５から離れる方向へ移動可能である。第２カートリッジ支持体６が第１カートリッジ支持体５から離れる方向へ移動することにより、現像カートリッジ９は、ドラムカートリッジ７から離れて、第２カートリッジ支持体６から取り外し可能となる。より詳しくは、第２カートリッジ支持体６は、第３位置から第４位置に移動するとき、第３位置から、第５位置を経て、第４位置に移動する。第５位置は、第２カートリッジ支持体６が第１方向において第３位置と第４位置との間に位置する位置である。第２カートリッジ支持体６は、第５位置から第４位置に移動するとき、第１方向において第１カートリッジ支持体から離れる方向へ移動可能である。第２カートリッジ支持体６が、第５位置から第４位置に移動するとき、第１方向において第１カートリッジ支持体から離れる方向へ移動することにより、現像カートリッジ９は、ドラムカートリッジ７から離れて、第２カートリッジ支持体６から取り外し可能となる。
【００３８】
１．５  ドラムカートリッジ７
ドラムカートリッジ７は、感光ドラム１４と、帯電ローラ１５とを備える。
【００３９】
感光ドラム１４は、軸方向に延びる軸Ａ１について回転可能である。軸方向は、第１方向および上下方向と交差する。好ましくは、軸方向は、第１方向および上下方向と直交する。感光ドラム１４は、軸方向に延びる。感光ドラム１４は、円筒形状を有する。
【００４０】
帯電ローラ１５は、感光ドラム１４の周面を帯電させる。帯電ローラ１５は、感光ドラム１４の周面に接触する。なお、ドラムカートリッジ７は、帯電ローラ１５の代わりに、スコロトロン型の帯電装置を備えてもよい。
【００４１】
１．６  露光装置８
露光装置８は、帯電ローラ１５によって帯電された感光ドラム１４の周面を露光する。これにより、感光ドラム１４の周面に、潜像が形成される。具体的には、露光装置８は、レーザースキャンユニットである。
【００４２】
１．７  現像カートリッジ９
現像カートリッジ９は、トナー収容器１６を備える。
【００４３】
トナー収容器１６は、感光ドラム１４に供給されるトナーを収容する。トナー収容器１６は、現像ローラ１７を備える。すなわち、現像カートリッジ９は、現像ローラ１７を備える。
【００４４】
現像ローラ１７は、ドラムカートリッジ７を支持する第１カートリッジ支持体５が第１位置に位置し、現像カートリッジ９を支持する第２カートリッジ支持体６が第３位置に位置した状態で、感光ドラム１４に接触する。現像ローラ１７は、ドラムカートリッジ７を支持する第１カートリッジ支持体５が第１位置に位置し、現像カートリッジ９を支持する第２カートリッジ支持体６が第３位置に位置した状態で、トナー収容器１６内のトナーを感光ドラム１４に供給可能である。これにより、感光ドラム１４に形成された潜像が現像され、感光ドラム１４の周面に、トナー像が形成される。
【００４５】
１．８  転写ローラ１０
転写ローラ１０は、ドラムカートリッジ７が第１カートリッジ支持体５に装着され、第１カートリッジ支持体５が第１位置に位置した状態で、感光ドラム１４と接触する。給紙カセット１８からのシートＳは、転写ローラ１０と感光ドラム１４との間を通る。このとき、転写ローラ１０は、感光ドラム１４の周面に形成されたトナー像を、シートＳに転写する。
【００４６】
１．９  定着装置１１
定着装置１１は、トナー像が転写されたシートＳを加熱および加圧して、感光ドラム１４からシートＳに転写されたトナー像を、シートＳに定着させる。定着装置１１を通過したシートＳは、筐体２の上面に排紙される。
【００４７】
２．第１カートリッジ支持体５および第２カートリッジ支持体６の詳細
次に、図３から図５を参照して、第１カートリッジ支持体５および第２カートリッジ支持体６の詳細について説明する。
【００４８】
２．１  第１カートリッジ支持体５
図３に示すように、第１カートリッジ支持体５は、軸方向に延びる。第１カートリッジ支持体５は、２つの側板２１Ａ、２１Ｂを備える。
【００４９】
側板２１Ａは、軸方向における第１カートリッジ支持体５の一端部に位置する。側板２１Ａは、第１方向に延びる。図４に示すように、側板２１Ａは、切欠き２４と、ドロワガイド２５と、凹部２８とを有する。つまり、第１カートリッジ支持体５は、切欠き２４と、ドロワガイド２５とを有する。
【００５０】
切欠き２４には、ドラムカートリッジ７が第１カートリッジ支持体５に装着された状態で、感光ドラム１４の端部が嵌まる。詳しくは、切欠き２４には、ドラムカートリッジ７が第１カートリッジ支持体５に装着された状態で、ドラムカップリング４２（図６参照）が嵌まる。ドラムカップリング４２については、後で説明する。
【００５１】
ドロワガイド２５は、切欠き２４よりも下方に位置する。ドロワガイド２５は、第１方向に延びる。ドロワガイド２５は、具体的には、貫通穴である。ドロワガイド２５は、第７端２５Ａと第８端２５Ｂとを有する。第８端２５Ｂは、第１方向において第７端２５Ａよりも閉位置に位置するカバー３の近くに位置する。ドロワガイド２５には、第２カートリッジ支持体６の第２被ガイド部３６Ａが嵌まる。第２被ガイド部３６Ａについては、後で説明する。これにより、ドロワガイド２５は、第１カートリッジ支持体５に対する第２カートリッジ支持体６の移動を案内する。
【００５２】
凹部２８には、ドラムカートリッジ７が第１カートリッジ支持体５に装着された状態で、ドラムカートリッジ７のグリップ４５Ｃ（図７Ａ参照）が嵌まる。グリップ４５Ｃについては、後で説明する。凹部２８は、第１方向において、切欠き２４から離れて位置する。詳しくは、凹部２８は、ドラムカートリッジ７を支持した第１カートリッジ支持体５が第１位置に位置した状態で、第１方向において、切欠き２４よりも閉位置に位置するカバー３の近くに位置する。
【００５３】
また、図３に示すように、側板２１Ａは、２つの第１被ガイド部２６Ａ、２６Ｂと、バネ２７とを備える。すなわち、第１カートリッジ支持体５は、２つの第１被ガイド部２６Ａ、２６Ｂと、バネ２７（図４参照）を備える。
【００５４】
２つの第１被ガイド部２６Ａ、２６Ｂは、第１本体ガイド１００（図２参照）にガイドされる。詳しくは、図２に示すように、画像形成装置１は、第１本体ガイド１００を備える。第１本体ガイド１００は、筐体２内に設けられる。第１本体ガイド１００は、第１方向に延びる。第１本体ガイド１００は、第１方向において、第１端１００Ａと第２端１００Ｂとを有する。第２端１００Ｂは、第１方向において、第１端１００Ａよりも、閉位置に位置するカバー３の近くに位置する。言い換えると、第２端１００Ｂは、第１方向において、第１端１００Ａと、閉位置に位置するカバー３との間に位置する。２つの第１被ガイド部２６Ａ、２６Ｂは、第１本体ガイド１００に嵌まる。これにより、第１本体ガイド１００は、第１カートリッジ支持体５を案内する。図１に示すように、第１被ガイド部２６Ａが第１本体ガイド１００の第１端１００Ａと接触することにより、第１カートリッジ支持体５は、第１位置に位置する。また、図２に示すように、第１被ガイド部２６Ｂが第１本体ガイド１００の第２端１００Ｂと接触することにより、第１カートリッジ支持体５は、第２位置に位置する。つまり、第１カートリッジ支持体５は、第１本体ガイド１００の第２端１００Ｂと接触することにより、第２位置に位置する。２つの第１被ガイド部２６Ａ、２６Ｂは、図３に示すように、軸方向に突出する。２つの第１被ガイド部２６Ａ、２６Ｂは、ボスである。２つの第１被ガイド部２６Ａ、２６Ｂは、円柱形状を有する。また、第１本体ガイド１００（図２参照）は、溝である。第１本体ガイド１００は、軸方向に凹む。
【００５５】
バネ２７は、図４に示すように、ドロワガイド２５内に突出する。バネ２７は、具体的には、板ばねである。バネ２７は、図５に示すように、第１カートリッジ支持体５が第１位置に位置し、第２カートリッジ支持体６が第３位置に位置した状態で、第２カートリッジ支持体６が第４位置から第３位置に向かう方向に向かって、第２カートリッジ支持体６の一部を押圧する。第２カートリッジ支持体６の一部は、具体的には、第２被ガイド部３６Ａである。
【００５６】
側板２１Ｂは、図３に示すように、軸方向における第１カートリッジ支持体５の他端部に位置する。側板２１Ｂは、軸方向において、側板２１Ａから離れて位置する。側板２１Ｂは、第１方向に延びる。側板２１Ｂは、側板２１Ａと同じく、切欠き２４とドロワガイド２５とを有し、２つの第１被ガイド部２６Ａ、２６Ｂと、バネ２７を備える。
【００５７】
２．２  第２カートリッジ支持体６
図３および図４に示すように、第２カートリッジ支持体６は、第１カートリッジ支持体５と連結されている。第２カートリッジ支持体６は、図４および図５に示すように、第１カートリッジ支持体５に対して、第１方向に移動可能である。第２カートリッジ支持体６は、図３に示すように、軸方向に延びる。第２カートリッジ支持体６は、２つの側板３１Ａ、３１Ｂと、底板３２と、グリップ３４を備える。
【００５８】
側板３１Ａは、軸方向における第２カートリッジ支持体６の一端部に位置する。側板３１Ａは、第１方向に延びる。図４に示すように、側板３１Ａは、凹部３５を有する。つまり、第２カートリッジ支持体６は、凹部３５を有する。
【００５９】
凹部３５には、現像カートリッジが９が第２カートリッジ支持体６に装着された状態で、現像カートリッジ９のシャフト５２Ａ（図８参照）が嵌まる。これにより、現像カートリッジ９が第２カートリッジ支持体６に支持された状態で、廃トナー収容器５１は、第２カートリッジ支持体６に対して固定される。廃トナー収容器５１については、後で説明する。
【００６０】
また、図３に示すように、側板３１Ａは、２つの第２被ガイド部３６Ａ、３６Ｂを備える。
【００６１】
２つの第２被ガイド部３６Ａ、３６Ｂは、第２本体ガイド１０１（図２参照）にガイドされる。詳しくは、図２に示すように、画像形成装置１は、第２本体ガイド１０１を備える。第２本体ガイド１０１は、筐体２内に設けられる。第２本体ガイド１０１は、第１本体ガイド１００の下方に位置する。第２本体ガイド１０１は、第１方向に延びる。第２本体ガイド１０１は、第１方向において、第３端１０１Ａと第４端１０１Ｂとを有する。第４端１０１Ｂは、第１方向において、第３端１０１Ａよりも、閉位置に位置するカバー３の近くに位置する。第４端１０１Ｂは、第１方向において、第３端１０１Ａと、閉位置に位置するカバー３との間に位置する。第４端１０１Ｂは、第１方向において、第１本体ガイド１００の第２端１００Ｂよりも、閉位置に位置するカバー３の近くに位置する。２つの第２被ガイド部３６Ａ、３６Ｂは、第２本体ガイド１０１に嵌まる。これにより、第２本体ガイド１０１は、第２カートリッジ支持体６を案内する。図１に示すように、第２被ガイド部３６Ａが第２本体ガイド１０１の第３端１０１Ａと接触することにより、第２カートリッジ支持体６は、第３位置に位置する。また、図２に示すように、第２被ガイド部３６Ｂが第２本体ガイド１０１の第４端１０１Ｂと接触することにより、第２カートリッジ支持体６は、第４位置に位置する。すなわち、第２カートリッジ支持体６は、第２本体ガイド１０１の第４端１０１Ｂと接触することにより、第４位置に位置する。２つの第２被ガイド部３６Ａ、３６Ｂは、図３に示すように、軸方向に突出する。２つの第２被ガイド部３６Ａ、３６Ｂは、ボスである。２つの第２被ガイド部３６Ａ、３６Ｂは、円柱形状を有する。
【００６２】
なお、第２被ガイド部３６Ａは、図４に示すように、第１カートリッジ支持体５のドロワガイド２５にも嵌まる。そのため、第２カートリッジ支持体６は、図５に示すように、第１カートリッジ支持体５が第１位置に位置する状態で、第２被ガイド部３６Ａがドロワガイド２５の第７端２５Ａと接触することにより、第３位置に位置してもよい。また、第２カートリッジ支持体６は、図４に示すように、第１カートリッジ支持体５が第２位置に位置する状態で、第２被ガイド部３６Ａがドロワガイド２５の第８端２５Ｂと接触することにより、第４位置に位置してもよい。つまり、第２カートリッジ支持体６は、第１カートリッジ支持体５が第２位置に位置する状態で、ドロワガイド２５の第８端２５Ｂと接触することにより、第４位置に位置してもよい。
【００６３】
側板３１Ｂは、図３に示すように、軸方向における第２カートリッジ支持体６の他端部に位置する。側板３１Ｂは、軸方向において、側板３１Ａから離れて位置する。側板３１Ｂは、第１方向に延びる。側板３１Ｂは、側板３１Ａと同じく、凹部３５を有し、２つの第２被ガイド部３６Ａ、３６Ｂを備える。
【００６４】
底板３２は、図３に示すように、軸方向において、側板３１Ａと側板３１Ｂとの間に位置する。底板３２は、軸方向に延びる。軸方向における底板３２の一端は、側板３１Ａに接続する。軸方向における底板３２の他端は、側板３１Ｂに接続する。
【００６５】
グリップ３４は、第２カートリッジ支持体６を移動させるときに、ユーザーによって掴まれる。グリップ３４は、第２カートリッジ支持体６に現像カートリッジ９が支持された状態で、トナー収容器１６の少なくとも一部に対して、感光ドラム１４の反対側に位置する。
【００６６】
３．ドラムカートリッジ７の詳細
次に、図６から図７Ｂを参照して、ドラムカートリッジ７の詳細について説明する。
【００６７】
ドラムカートリッジ７は、図６に示すように、軸方向に延びる。ドラムカートリッジ７は、上記した感光ドラム１４および帯電ローラ１５に加えて、２つの側板４１Ａ、４１Ｂと、ドラムカップリング４２と、ドラムクリーナー４３と、廃トナー搬送管４４と、ハンドル４５とを備える。
【００６８】
３．１  側板４１Ａ、４１Ｂ
図６に示すように、側板４１Ａは、軸方向におけるドラムカートリッジ７の一端部に位置する。側板４１Ａは、第１方向に延びる。図７Ａに示すように、側板４１Ａは、ガイド４７を有する。つまり、ドラムカートリッジ７は、ガイド４７を有する。
【００６９】
ガイド４７は、現像カートリッジ９を支持した第２カートリッジ支持体６がドラムカートリッジ７を支持した第１カートリッジ支持体５に近づくときに、現像ローラ１７を感光ドラム１４に向かってガイドする。ガイド４７は、感光ドラム１４に向かって延びる。この実施形態では、ガイド４７は、第１方向に延びる。ガイド４７は、具体的には、溝である。図１０に示すように、ガイド４７には、ドラムカートリッジ７を支持した第１カートリッジ支持体５が第１位置に位置し、現像カートリッジ９を支持した第２カートリッジ支持体６が第３位置に位置した状態で、現像ローラ１７のシャフト１７Ａの端部が嵌まる。つまり、ガイド４７は、現像ローラ１７のシャフト１７Ａをガイドすることにより、現像ローラ１７を感光ドラム１４に向かってガイドする。一方、図１１に示すように、ドラムカートリッジ７を支持した第１カートリッジ支持体５が第２位置に位置し、現像カートリッジ９を支持した第２カートリッジ支持体６が第４位置に位置した状態で、現像ローラ１７のシャフト１７Ａは、ガイド４７から外れる。
【００７０】
側板４１Ｂは、図６に示すように、軸方向におけるドラムカートリッジ７の他端部に位置する。側板４１Ｂは、軸方向において、側板４１Ａから離れて位置する。側板４１Ｂは、第１方向に延びる。側板４１Ｂは、側板４１Ａと同じく、ガイド４７を有する。
【００７１】
３．２  ドラムカップリング４２
図６に示すように、ドラムカップリング４２は、軸方向における感光ドラム１４の一端部に取り付けられる。ドラムカップリング４２は、感光ドラム１４とともに回転可能である。ドラムカップリング４２は、側板４１Ａに回転可能に支持される。ドラムカップリング４２は、ドラムカートリッジ７が第１カートリッジ支持体５に装着された状態で、切欠き２４（図４参照）に嵌まる。ドラムカップリング４２には、ドラムカートリッジ７が第１カートリッジ支持体５に装着され、第１カートリッジ支持体５が第１位置に位置した状態で、筐体２内に設けられる本体カップリング（図示せず）が嵌まる。本体カップリングがドラムカップリング４２に嵌まった状態で、ドラムカップリング４２は、本体カップリングとともに回転可能である。これにより、ドラムカップリング４２は、本体カップリングから動力を受けて、感光ドラム１４を回転させる。
【００７２】
３．３  ドラムクリーナー４３
図７Ａに示すように、ドラムクリーナー４３は、ドラムカートリッジ７が第１カートリッジ支持体５に装着された状態で、感光ドラム１４の上に位置する。ドラムクリーナー４３は、クリーナーフレーム４３Ａと、クリーニング部材４３Ｂと、オーガスクリュー４３Ｃとを備える。
【００７３】
クリーナーフレーム４３Ａは、図６に示すように、軸方向において、側板４１Ａと側板４１Ｂとの間に位置する。クリーナーフレーム４３Ａは、軸方向に延びる。軸方向におけるクリーナーフレーム４３Ａの一端は、側板４１Ａに接続する。軸方向におけるクリーナーフレーム４３Ａの他端は、側板４１Ｂに接続する。クリーナーフレーム４３Ａは、図７Ａに示すように、開口４３Ｄを有する。開口４３Ｄは、クリーナーフレーム４３Ａの内部空間に通じる。
【００７４】
クリーニング部材４３Ｂは、クリーナーフレーム４３Ａに取り付けられる。クリーニング部材４３Ｂは、軸線方向に延び、板形状を有する。クリーニング部材４３Ｂのエッジは、開口４３Ｄ内に位置する。クリーニング部材４３Ｂのエッジは、感光ドラム１４の周面に接触する。これにより、感光ドラム１４が回転したときに、感光ドラム１４の周面に付着していたトナーは、クリーニング部材４３Ｂのエッジによって掻き取られ、開口４３Ｄを通ってクリーナーフレーム４３Ａ内に入る。これにより、ドラムクリーナー４３は、感光ドラム１４の周面をクリーニングする。ドラムクリーナー４３によって感光ドラム１４の周面から取り除かれたトナーを、廃トナーと定義する。
【００７５】
オーガスクリュー４３Ｃは、図６に示すように、クリーナーフレーム４３Ａ内に位置する。オーガスクリュー４３Ｃは、軸方向に延びる。オーガスクリュー４３Ｃは、クリーナーフレーム４３Ａ内に収容された廃トナーを、廃トナー搬送管４４に向かって搬送する。
【００７６】
３．４  廃トナー搬送管４４
廃トナー搬送管４４は、図６に示すように、側板４１Ｂに取り付けられる。廃トナー搬送管４４は、ドラムクリーナー４３から廃トナー収容器５１（図１参照）へ廃トナーを搬送するために用いられる。廃トナー搬送管４４の内部空間は、クリーナーフレーム４３Ａの内部空間と通じる。廃トナー搬送管４４は、図７Ｂに示すように、排出口４４Ａを有する。廃トナー搬送管４４は、シャッター４４Ｂと、バネ４４Ｃと、シャフトレス・スクリュー４４Ｄとを備える。
【００７７】
排出口４４Ａは、廃トナー搬送管４４の端部に位置する。排出口４４Ａは、廃トナー搬送管４４の内部空間と通じる。排出口４４Ａは、廃トナー搬送管４４内の廃トナーを排出可能である。
【００７８】
シャッター４４Ｂは、廃トナー搬送管４４の端部に位置する。シャッター４４Ｂは、閉位置（図７Ｂ参照）と開位置（図１０参照）との間を移動可能である。シャッター４４Ｂが閉位置に位置する場合、シャッター４４Ｂは、排出口４４Ａを閉じる。シャッター４４Ｂが開位置に位置する場合、排出口４４Ａが開く。
【００７９】
バネ４４Ｃは、廃トナー搬送管４４の外周面に位置する。バネ４４Ｃは、開位置に位置するシャッター４４Ｂを閉位置に向かって押圧する。
【００８０】
シャフトレス・スクリュー４４Ｄは、廃トナー搬送管４４内に位置する。シャフトレス・スクリュー４４Ｄは、廃トナー搬送管４４に沿って延びる。シャフトレス・スクリュー４４Ｄは、オーガスクリュー４３Ｃと連結され、一体で回転することにより、廃トナー搬送管４４内のトナーを排出口４４Ａに向かって搬送する。
【００８１】
３．５  ハンドル４５
ハンドル４５は、図６に示すように、軸方向において、側板４１Ａと側板４１Ｂとの間に位置する。ハンドル４５は、図７Ａに示すように、ガイド４７よりも上方に位置する。ハンドル４５は、図６に示すように、２つのアーム４５Ａ、４５Ｂと、グリップ４５Ｃとを有する。
【００８２】
アーム４５Ａは、第１方向に延びる。アーム４５Ａは、側板４１Ａに回動可能に取り付けられる。
【００８３】
アーム４５Ｂは、軸方向において、アーム４５Ａから離れて位置する。アーム４５Ｂは、第１方向に延びる。アーム４５Ｂは、側板４１Ｂに回動可能に取り付けられる。アーム４５Ａが側板４１Ａに回動可能に取り付けられ、アーム４５Ｂが側板４１Ｂに回動可能に取り付けられることにより、ハンドル４５は、側板４１Ａおよび側板４１Ｂに回動可能に支持される。
【００８４】
グリップ４５Ｃは、軸方向において、アーム４５Ａとアーム４５Ｂとの間に位置する。グリップ４５Ｃは、軸方向に延びる。グリップ４５Ｃは、円柱形状を有する。軸方向におけるグリップ４５Ｃの一端部は、アーム４５Ａに支持される。軸方向におけるグリップ４５Ｃの他端部は、アーム４５Ｂに支持される。
【００８５】
４．現像カートリッジ９の詳細
次に、図８から図１１を参照して、現像カートリッジ９の詳細について説明する。
【００８６】
図８および図９に示すように、現像カートリッジ９は、上記したトナー収容器１６に加えて、廃トナー収容器５１と、２つのシャフト５２Ａ、５２Ｂとを備える。
【００８７】
４．１  廃トナー収容器５１
図８に示すように、廃トナー収容器５１は、軸方向に延びる。廃トナー収容器５１は、ボックス形状を有する。廃トナー収容器５１は、廃トナーを収容する。図９に示すように、廃トナー収容器５１は、トナー収容器１６の上面に取り付けられる。廃トナー収容器５１は、トナー収容器１６に対して揺動可能である。廃トナー収容器５１は、挿入部５１Ａと、シャッター５１Ｂと、バネ５１Ｃと、２つの突起５３Ａ、５３Ｂ（図８参照）を備える。
【００８８】
図１０に示すように、挿入部５１Ａには、ドラムカートリッジ７を支持した第１カートリッジ支持体５が第１位置に位置し、現像カートリッジ９を支持した第２カートリッジ支持体６が第３位置に位置した状態で、ドラムカートリッジ７の廃トナー搬送管４４（図６参照）が、挿入される。つまり、ドラムカートリッジ７を支持した第１カートリッジ支持体５が第１位置に位置し、現像カートリッジ９を支持した第２カートリッジ支持体６が第３位置に位置した状態で、廃トナー搬送管４４は、廃トナー収容器５１に接続される。一方、図１１に示すように、ドラムカートリッジ７を支持した第１カートリッジ支持体５が第２位置に位置し、現像カートリッジ９を支持した第２カートリッジ支持体６が第４位置に位置した状態で、廃トナー搬送管４４は、挿入部５１Ａから外れる。つまり、ドラムカートリッジ７を支持した第１カートリッジ支持体５が第２位置に位置し、現像カートリッジ９を支持した第２カートリッジ支持体６が第４位置に位置した状態で、廃トナー搬送管４４と廃トナー収容器５１との接続は、解除される。
【００８９】
図９に示すように、挿入部５１Ａは、廃トナー収容器５１内に位置する。挿入部５１Ａは、第１方向に延びる。挿入部５１Ａは、筒形状を有する。挿入部５１Ａは、受入口５１Ｄを有する、受入口５１Ｄは、廃トナー収容器５１の内部空間に通じる。受入口５１Ｄは、廃トナー搬送管４４が挿入部５１Ａに接続された状態（図１０参照）で、廃トナー搬送管４４の排出口４４Ａと通じる。これにより、廃トナー搬送管４４が挿入部５１Ａに接続された状態で、廃トナー搬送管４４を通って搬送された廃トナーは、排出口４４Ａおよび受入口５１Ｄを通って、廃トナー収容器５１内に入る。
【００９０】
シャッター５１Ｂは、挿入部５１Ａ内に位置する。シャッター５１Ｂは、閉位置（図９参照）と開位置（図１０参照）との間を移動可能である。シャッター５１Ｂが閉位置に位置した場合、シャッター５１Ｂは、受入口５１Ｄを閉じる。シャッター５１Ｂが開位置に位置した場合、受入口５１Ｄは、開く。
【００９１】
バネ５１Ｃは、挿入部５１Ａ内に位置する。バネ５１Ｃは、開位置に位置するシャッター５１Ｂを閉位置に向かって押圧する。
【００９２】
図８および図９に示すように、２つの突起５３Ａ、５３Ｂのそれぞれは、廃トナー収容器５１の下面から突出する。２つの突起５３Ａ、５３Ｂのそれぞれは、上下方向に延びる。突起５３Ｂは、軸方向において、突起５３Ａから離れて位置する。トナー収容器１６は、軸方向において、突起５３Ａと突起５３Ｂとの間に位置する。２つの突起５３Ａ、５３Ｂのそれぞれは、貫通穴５４（図９参照）を有する。貫通穴５４は、円形状を有する。
【００９３】
４．２  シャフト５２Ａ、５２Ｂ
シャフト５２Ａは、図８に示すように、軸方向におけるトナー収容器１６の一方側の側面から延びる。シャフト５２Ａは、軸方向に延びる。シャフト５２Ａは、円柱形状を有する。シャフト５２Ａは、廃トナー収容器５１の突起５３Ａの貫通穴５４に挿入される。
【００９４】
シャフト５２Ｂは、軸方向におけるトナー収容器１６の他方側の側面から延びる。シャフト５２Ｂは、廃トナー収容器５１の突起５３Ｂの貫通穴５４に挿入される。シャフト５２Ａが廃トナー収容器５１の突起５３Ａの貫通穴５４に挿入され、シャフト５２Ｂが廃トナー収容器５１の突起５３Ｂの貫通穴５４に挿入されることにより、廃トナー収容器５１は、トナー収容器１６に対して、揺動可能に取り付けられる。つまり、シャフト５２Ａ、５２Ｂは、廃トナー収容器５１とトナー収容器１６とを揺動可能に連結する。
【００９５】
５．現像カートリッジ９およびドラムカートリッジ７の交換作業
次に、図１、図２、図１１を参照して、現像カートリッジ９およびドラムカートリッジ７の交換作業について説明する。
【００９６】
図１および図２に示すように、ユーザーは、現像カートリッジ９およびドラムカートリッジ７を交換する場合、カバー３が開位置に位置した状態で、第２カートリッジ支持体６のグリップ３４を引っ張って、第２カートリッジ支持体６を筐体２から引き出す。
【００９７】
すると、第２カートリッジ支持体６は、第３位置から第４位置へ移動する。このとき、第１カートリッジ支持体５は、第２カートリッジ支持体６に引っ張られて、第１位置から第２位置へ移動する。また、第２カートリッジ支持体６は、第１カートリッジ支持体５に対して、第１方向において第１カートリッジ支持体５から離れる方向へ移動する。
【００９８】
第２カートリッジ支持体６が第１カートリッジ支持体５から離れる方向へ移動すると、図１１に示すように、第２カートリッジ支持体６に支持されている現像カートリッジ９は、第１カートリッジ支持体５に支持されているドラムカートリッジ７から分離する。詳しくは、第２カートリッジ支持体６が第１カートリッジ支持体５から離れると、現像ローラ１７のシャフト１７Ａがガイド４７から外れるとともに、廃トナー搬送管４４が廃トナー収容器５１から外れる。これにより、現像カートリッジ９は、第２カートリッジ支持体６から取り外し可能となる。つまり、第２カートリッジ支持体６が第１カートリッジ支持体５から離れる方向へ移動した場合に、現像ローラ１７がガイド４７から外れ、廃トナー搬送管４４が廃トナー収容器５１から外れて、現像カートリッジ９は、第２カートリッジ支持体６から取り外し可能となる。
【００９９】
次に、ユーザーは、図２に仮想線で示すように、現像カートリッジ９を第２カートリッジ支持体６から離脱させる。
【０１００】
これにより、ユーザーは、ドラムカートリッジ７を交換しないで、現像カートリッジ９を交換することができる。
【０１０１】
また、ユーザーは、現像カートリッジ９を第２カートリッジ支持体６から離脱させた後、ドラムカートリッジ７を第１カートリッジ支持体５から離脱させることもできる。
【０１０２】
これにより、ユーザーは、ドラムカートリッジ７および現像カートリッジ９の両方を交換することもできる。
【０１０３】
６．作用効果
（１）画像形成装置１によれば、図１および図２に示すように、第２カートリッジ支持体６が第３位置から第４位置へ向かって移動することにより、現像カートリッジ９が、取り外し可能となる。
【０１０４】
これにより、ユーザーは、第２カートリッジ支持体６を第３位置から第４位置に移動させるという簡単な作業で、現像カートリッジ９を、ドラムカートリッジ７から分離して交換できる。
【０１０５】
（２）また、画像形成装置１によれば、図１に示すように、現像カートリッジ９は、廃トナー収容器５１を備えている。廃トナー収容器５１には、ドラムカートリッジ７を支持した第１カートリッジ支持体５が第１位置に位置し、現像カートリッジ９を支持した第２カートリッジ支持体６が第３位置に位置した状態で、図１０に示すように、ドラムカートリッジ７の廃トナー搬送管４４が接続される。
【０１０６】
これにより、ドラムクリーナー４３によって感光ドラム１４の周面から取り除かれた廃トナーを、廃トナー搬送管４４により廃トナー収容器５１に収容することができる。
【０１０７】
そして、図２に示すように、廃トナーを収容した廃トナー収容器５１を、現像カートリッジ９とともに交換することができる。
【０１０８】
７．変形例
次に、図１２を参照して、変形例について説明する。
【０１０９】
画像形成装置１は、図１２に示すように、さらに、第３本体ガイド１０２を備えてもよい。
【０１１０】
第３本体ガイド１０２は、第５端１０２Ａと第６端１０２Ｂとを有する。第６端１０２Ｂは、第１方向において、第５端１０２Ａよりも、閉位置に位置するカバー３の近くに位置する。また、第１本体ガイド１００の第１端１００Ａは、第３本体ガイド１０２の第５端１０２Ａよりも閉位置に位置するカバー３から遠い。言い換えると、第１本体ガイド１００の第１端１００Ａは、第３本体ガイド１０２の第５端１０２Ａよりも、閉位置に位置するカバー３から離れて位置する。第３本体ガイド１０２は、具体的には、溝である。第３本体ガイド１０２には、軸方向における感光ドラム１４の端部が嵌まる。これにより、第３本体ガイド１０２は、感光ドラム１４を案内する。
【符号の説明】
【０１１１】
１        画像形成装置
２        筐体
２Ａ      開口
３        カバー
５        第１カートリッジ支持体
６        第２カートリッジ支持体
７        ドラムカートリッジ
９        現像カートリッジ
１４      感光ドラム
１６      トナー収容器
１７      現像ローラ
２５      ドロワガイド
２５Ａ    第７端
２５Ｂ    第８端
４３      ドラムクリーナー
４４      廃トナー搬送管
４７      ガイド
５１      廃トナー収容器
５１Ａ    挿入部
５２Ａ    シャフト
５２Ｂ    シャフト
１００    第１本体ガイド
１００Ａ  第１端
１００Ｂ  第２端
１０１    第２本体ガイド
１０１Ａ  第３端
１０１Ｂ  第４端
１０２    第３本体ガイド
１０２Ａ  第５端
１０２Ｂ  第６端
Ａ１      軸
Ｓ１      第１外表面
Ｓ２      第２外表面
【図１】
2020046513.tif 000003
【図２】
2020046513.tif 000004
【図３】
2020046513.tif 000005
【図４】
2020046513.tif 000006
【図５】
2020046513.tif 000007
【図６】
2020046513.tif 000008
【図７】
2020046513.tif 000009
【図８】
2020046513.tif 000010
【図９】
2020046513.tif 000011
【図１０】
2020046513.tif 000012
【図１１】
2020046513.tif 000013
【図１２】
2020046513.tif 000014